(57)【要約】【課題】変倍鏡体の向きを変えて変倍ハンドルの位置を前後で入れ替えた場合にも倍率表示を認識可能な実体顕微鏡を提供する。【解決手段】実体顕微鏡は、ベース１に立てた支柱２に対して上下動可能なアーム３に取り付けられた変倍鏡体４と、変倍鏡体４に取り付けられた対物レンズ５と、変倍鏡体４に取り付けられた観察用鏡筒６と、観察用鏡筒６に取り付けられた接眼レンズ７とを有している。変倍鏡体４は、変倍光学系を内蔵しており、また、変倍光学系の倍率を変更するための一対の変倍ハンドル１０１と変倍ハンドル１０２を有している。一方の側から見たときに、一方の変倍ハンドル１０１が正しい向きの倍率表示を有し、変倍鏡体４はその近くに指標１０５を有している。また、反対の側から見たときに、変倍ハンドル１０２が正しい向きの倍率表示を有し、変倍鏡体４はその近くに指標を有している。【選択図】    図１
2004348090.tif 000002
【特許請求の範囲】
【請求項１】
対物レンズと、変倍光学系を内蔵した変倍鏡体と、変倍鏡体の両側に回転自在に取り付けられた、変倍鏡体内の変倍光学系の倍率を回転に連動させて連続または段階的に変化させるための二つの変倍ハンドルと、変倍鏡体に着脱可能に取り付けられる鏡筒とを有する実体顕微鏡において、
一方の側から見たときに、一方の変倍ハンドルが正しい向きの倍率表示を有すると共に、その倍率表示用の指標を変倍鏡体が有しており、反対側から見たときに、他方の変倍ハンドルが正しい向きの倍率表示を有すると共に、その倍率表示用の指標を変倍鏡体が有している、ことを特徴とする実体顕微鏡。
【請求項２】
対物レンズと、変倍光学系を内蔵した変倍鏡体と、変倍鏡体の両側に回転自在に取り付けられた、変倍鏡体内の変倍光学系の倍率を回転に連動させて連続または段階的に変化させるための二つの変倍ハンドルと、変倍鏡体に着脱可能に取り付けられる境筒とを有する実体顕微鏡において、
一方の変倍ハンドルが、その回転軸に沿った側から見たときに、正しい向きの倍率表示を有すると共に、変倍鏡体が、その変倍ハンドルの真上に、その倍率表示用の指標を有している、ことを特徴とする実体顕微鏡。
【請求項３】
対物レンズと、変倍光学系を内蔵した変倍鏡体と、変倍鏡体の両側に回転自在に取り付けられた、変倍鏡体内の変倍光学系の倍率を回転に連動させて連続または段階的に変化させるための二つの変倍ハンドルと、変倍鏡体に着脱可能に取り付けられる鏡筒とを有する実体顕微鏡において、
一方の変倍ハンドルが倍率表示を有し、変倍鏡体がその倍率表示を部分的に露出させる二つの開口部を有し、倍率表示は複数の数字を二つずつ含み、同じ二つの数字は上下が逆で二つの開口部の間隔と同じ間隔を置いて位置している、ことを特徴とする実体顕微鏡。
【発明の詳細な説明】
【０００１】
【発明の属する技術分野】
本発明は、変倍光学系を有する実体顕微鏡に関する。
【０００２】
【従来の技術】
図１３は、一般的な実体顕微鏡の構成を示している。図１３に示されるように、通常の実体顕微鏡においては、ベース１に垂直に支持された支柱２に、アーム３が上下動可能に取り付けられている。アーム３の先端部には勘合部を持つ鏡体取付け部が形成され、変倍鏡体４を支持している。変倍鏡体４の下端面に対物レンズ５が着脱可能に装着され、変倍鏡体４の上端面に観察用鏡筒６が着脱可能に装着され、観察用鏡筒６に接眼レンズ７が着脱自在に取り付けられている。
【０００３】
また、変倍鏡体４の側面には変倍ハンドル８が回転自在に取り付けられている。
【０００４】
変倍ハンドル８の円筒面には倍率表示９が回転方向に表記されており、変倍鏡体４側の指標１０の位置にある倍率表示を見ることにより、現在の鏡体による変倍率を知ることができる。
【０００５】
変倍ハンドル８は、変倍鏡体４の内部構成上、検鏡者から見て変倍鏡体４の前側端か後側端に配置されるのが一般的である。通常、変倍ハンドル位置を前側または後ろ側に決め、その位置で変倍ハンドル８の回転方向に合わせて、倍率表示９が変倍ハンドル８に設けられる。
【０００６】
【発明が解決しようとする課題】
ガリレオタイプの実体顕敏鏡は、変倍鏡体４と観察用鏡筒６が着脱自在であるため、観察用鏡筒６の変倍鏡体４への取付け方向は１８０度反転させることが可能である。また、変倍鏡体４の支持部は勘合によるため、アーム３に対し対物レンズ５の光軸を中心に回転自在である。このため、変倍鏡体４を１８０度回転して取付け、観察用鏡筒６を前向きに取り付けることで、図１４に示される状態にすることができる。検鏡者の好みや、照準ハンドル１１との位置関係を近くする場合など、変倍ハンドル位置を前後で変えて使用することは有益である。
【０００７】
この際、従来の倍率表示方法では、設計時に想定された位置以外で使用した場合に、倍率表示９の向きが逆になってしまう。また、指標１０は、設計状態の変倍ハンドル位置で使用した場合に、検鏡者側から見易い位置に配置されているため、変倍ハンドル位置の前後を変えて使用した場合には、指標自体が見えなくなってしまうことが多い。このため、設計時に想定された位置以外で使用する場合に、倍率表示の認識が出来ず、使用が困難になってしまう。
【０００８】
本発明は、この様な実状を考慮して成されたものであり、その目的は、変倍鏡体の向きを変えて変倍ハンドルの位置を前後で入れ替えた場合にも倍率表示を認識可能な実体顕微鏡を提供することである。
【０００９】
【課題を解決するための手段】
本発明は、対物レンズと、変倍光学系を内蔵した変倍鏡体と、変倍鏡体の両側に回転自在に取り付けられた、変倍鏡体内の変倍光学系の倍率を回転に連動させて連続または段階的に変化させるための二つの変倍ハンドルと、変倍鏡体に着脱可能に取り付けられる鏡筒とを有する実体顕微鏡に向けられており、以下の各項に列記する実体顕微鏡を含んでいる。
【００１０】
１．  本発明の実体顕微鏡は、一方の側から見たときに、一方の変倍ハンドルが正しい向きの倍率表示を有すると共に、その倍率表示用の指標を変倍鏡体が有しており、反対側から見たときに、他方の変倍ハンドルが正しい向きの倍率表示を有すると共に、その倍率表示用の指標を変倍鏡体が有している、ことを特徴とする。
【００１１】
この実体顕微鏡においては、変倍ハンドルが検鏡者に対して近くにある状態でも遠くにある状態でも、検鏡者は、正しい向きの倍率表示に基づいて、変倍鏡体内の変倍光学系の倍率を容易に認識することが可能になる。
【００１２】
２．  本発明の別の実体顕微鏡は、一方の変倍ハンドルが、その回転軸に沿った側から見たときに、正しい向きの倍率表示を有すると共に、変倍鏡体が、その変倍ハンドルの真上に、その倍率表示用の指標を有している、ことを特徴とする。
【００１３】
この実体顕微鏡においては、変倍ハンドルが検鏡者に対して近くにある状態でも遠くにある状態でも、検鏡者は、倍率表示を横向きの表記として認識することにより、変倍鏡体内の変倍光学系の倍率を倍率表示に基づいて容易に認識することが可能になる。
【００１４】
３．  本発明の別の実体顕微鏡は、一方の変倍ハンドルが倍率表示を有し、変倍鏡体がその倍率表示を部分的に露出させる二つの開口部を有し、倍率表示は複数の数字を二つずつ含み、同じ二つの数字は上下が逆で二つの開口部の間隔と同じ間隔を置いて位置している、ことを特徴とする。
【００１５】
この実体顕微鏡においては、変倍ハンドルが検鏡者に対して近くにある状態でも遠くにある状態でも、検鏡者は、手前側の開口部を通して見える倍率表示に基づいて、変倍鏡体内の変倍光学系の倍率を容易に認識することが可能になる。
【００１６】
【発明の実施の形態】
以下、図面を参照しながら本発明の実施の形態について説明する。
【００１７】
第一実施形態
本実施形態は、変倍光学系を有する実体顕微鏡に向けられている。図１は、本発明の第一実施形態の実体顕微鏡を示している。
【００１８】
図１に示されるように、実体顕微鏡は、ベース１と、ベース１に垂直に延びる支柱２と、支柱２に対して上下動可能なアーム３と、アーム３に着脱可能に取り付けられた変倍鏡体４と、変倍鏡体４に着脱可能に取り付けられた対物レンズ５と、変倍鏡体４に着脱可能に取り付けられた観察用鏡筒６と、観察用鏡筒６に着脱可能に取り付けられた一対の接眼レンズ７とを有している。
【００１９】
アーム３は支柱２によって案内されている。実体顕微鏡は、アーム３を上下動させるための照準ハンドル１１を更に有しており、照準ハンドル１１の回転操作により、アーム３は支柱２に沿って上下動される。
【００２０】
変倍鏡体４は、変倍光学系を内蔵しており、また、変倍光学系の倍率を変更するための一対の変倍ハンドル１０１と変倍ハンドル１０２とを有している。変倍ハンドル１０１と変倍ハンドル１０２は変倍鏡体４の両側に位置している。変倍ハンドル１０１と変倍ハンドル１０２は、例えば、同軸に固定されており、言い換えれば、共通して同じ回転軸部材に固定されており、一本の回転軸の周りに一緒に回転し得る。
【００２１】
しかし、変倍ハンドル１０１と変倍ハンドル１０２は、同じ回転軸部材に固定されている必要はなく、互いに連動して回転する構成であってもよい。
【００２２】
変倍ハンドル１０１と変倍ハンドル１０２は、例えば、適当な機械的な手段を介して、変倍光学系に含まれるレンズ等の光学要素と連結されており、変倍ハンドル１０１と変倍ハンドル１０２の回転がレンズ等の光学要素を光軸に沿って移動させる。
【００２３】
図１において、実体顕微鏡を操作する検鏡者は、左側の手前に位置する。図２は、そのように位置する検鏡者から見て右側の変倍ハンドルとその周辺部分を拡大して示している。また、図３は、図２に示される倍率表示を展開して示している。
【００２４】
図２に示されるように、変倍ハンドル１０１は、変倍鏡体４内の変倍光学系の倍率を示すための倍率表示１０３を有している。倍率表示１０３は、図３に示されるように、倍率を示す数字の羅列を有している。数字の上下は変倍ハンドル１０１の回転軸に直交しており、数字は変倍ハンドル１０１の周面に沿って並んでいる。
【００２５】
変倍鏡体４の本体には、検鏡者から比較的容易に見える位置に、例えば、変倍ハンドル１０１と変倍ハンドル１０２の回転軸を含む鉛直面に対して検鏡者の側に、変倍ハンドル１０１の倍率表示１０３を見るための指標１０５が形成されている。変倍ハンドル１０１は、変倍鏡体４内の変倍光学系の現在の倍率と、指標１０５で指示される倍率表示１０３の数字とが合うように、回転軸周りの角度が調整されている。
【００２６】
従って、検鏡者は、倍率表示１０３の数字を見ながら変倍ハンドル１０１を回転させ、指標１０５で指示される倍率表示１０３の数字を所望の倍率に合わせることにより、変倍光学系の倍率を所望の倍率に合わせることができる。
【００２７】
図４は、図１に示される実体顕微鏡において、変倍鏡体が光軸周りに１８０度回転された状態を示している。このため、対物レンズ５の光軸を基準にして考えれば、図１に示される実体顕微鏡においては、変倍ハンドル１０１と変倍ハンドル１０２が検鏡者の側に位置しているが、図４に示される実体顕微鏡においては、変倍ハンドル１０１と変倍ハンドル１０２が検鏡者と反対側に位置している。
【００２８】
また、検鏡者から見て右側には、図１に示される実体顕微鏡においては変倍ハンドル１０１が位置しているが、図４に示される実体顕微鏡においては変倍ハンドル１０２が位置している。
【００２９】
図５は、図４に示される実体顕微鏡において、検鏡者から見て右側の変倍ハンドルとその周辺部分を拡大して示している。また、図６は、図５に示される倍率表示を展開して示している。
【００３０】
図５に示されるように、変倍ハンドル１０２は、変倍ハンドル１０１と同様に、変倍鏡体４内の変倍光学系の倍率を示すための倍率表示１０４を有している。倍率表示１０４は、図６に示されるように、倍率を示す数字の羅列を有している。数字の上下は変倍ハンドル１０２の回転軸に直交し、数字は変倍ハンドル１０２の周面に沿って並んでいる。
【００３１】
変倍鏡体４の本体には、検鏡者から比較的容易に見える位置に、例えば、変倍ハンドル１０１と変倍ハンドル１０２の回転軸を含む鉛直面に対して検鏡者の側に、変倍ハンドル１０２の倍率表示１０４を見るための指標１０６が形成されている。変倍ハンドル１０２は、変倍鏡体４内の変倍光学系の現在の倍率と、指標１０６で指示される倍率表示１０４の数字とが合うように、回転軸周りの角度が調整されている。
【００３２】
従って、検鏡者は、倍率表示１０４の数字を見ながら変倍ハンドル１０２を回転させ、指標１０６で指示される倍率表示１０４の数字を所望の倍率に合わせることにより、変倍光学系の倍率を所望の倍率に合わせることができる。
【００３３】
このように、本実施形態の実体顕微鏡においては、変倍鏡体４は二つの変倍ハンドルを有しており、変倍ハンドルの回転軸を含む鉛直面の一方の側から見たときに、一方の変倍ハンドルが上下の向きの正しい倍率表示を有しており、変倍鏡体４の本体は、その近くに、その倍率表示を指示するための指標を有している。また、変倍ハンドルの回転軸を含む鉛直面の反対の側から見たときに、他方の変倍ハンドルが、上下の向きの正しい倍率表示を有し、変倍鏡体４の本体は、その近くに、その倍率表示を指示するための指標を有している。
【００３４】
このため、変倍鏡体４の変倍ハンドル１０１と変倍ハンドル１０２が、対物レンズ５の光軸を基準にして、検鏡者の側に位置している場合であっても、検鏡者の反対側に位置している場合であっても、検鏡者は、変倍鏡体４内の変倍光学系の倍率を、変倍ハンドルに付された倍率表示に基づいて、容易に認識することが可能になる。
【００３５】
しかも、本実施形態の構成は、機能上特別な部品を必要としないので、比較的安価に実現可能である。
【００３６】
第二実施形態
本実施形態は、第一実施形態の倍率表示と指標に代替可能な別の倍率表示と指標に向けられている。図７は、本発明の第二実施形態の実体顕微鏡における変倍ハンドルの倍率表示を展開して示している。
【００３７】
本実施形態においては、変倍ハンドル１０１と変倍ハンドル１０２のいずれか一方が、図７に示される倍率表示１１２を有している。倍率表示１１２は、変倍光学系の倍率を示す数字の羅列を有し、図７に示されるように、数字の上下は変倍ハンドルの回転軸に平行で、数字は変倍ハンドルの周面に沿って並んでいる。
【００３８】
変倍鏡体４の本体は、倍率表示１１２の近くに、その倍率表示を指示するための指標１１１を有している。指標１１１は、倍率表示１１２を有する変倍ハンドルの回転軸を含む鉛直面上に略位置している。つまり、指標１１１は、倍率表示１１２を有する変倍ハンドルに対して、いわゆる真上に位置している。
【００３９】
このため、倍率表示１１２の数字は、倍率表示１１２を有する変倍ハンドルの回転軸に沿って実体顕微鏡から多少離れた側から見たときに上下が正しい向きとなる。
【００４０】
これにより、変倍鏡体４の変倍ハンドルが、対物レンズ５の光軸を基準にして、検鏡者の側に位置している場合であっても、検鏡者の反対側に位置している場合であっても、検鏡者は、倍率表示１１２の数字を横向きの文字として認識することにより、変倍鏡体４内の変倍光学系の倍率を倍率表示１１２に基づいて容易に認識することが可能になる。
【００４１】
あるいは、検鏡者は、倍率表示１１２の付された変倍ハンドルをやや側方から見ることで、数字を更に容易に認識することにより、変倍鏡体４内の変倍光学系の倍率を倍率表示１１２に基づいて容易に認識することが可能になる。
【００４２】
上述した説明では、変倍ハンドル１０１と変倍ハンドル１０２のいずれか一方が倍率表示１１２を有しているが、変倍ハンドル１０１と変倍ハンドル１０２の両方が倍率表示１１２を有すると共に、変倍鏡体４の本体が倍率表示１１２の近くにそれぞれ位置する二つの指標１１１を有していてもよい。
【００４３】
第三実施形態
本実施形態は、第一実施形態の倍率表示と指標に代替可能な別の倍率表示と指標に向けられている。図８は、本発明の第三実施形態の実体顕微鏡において、図１と同様に変倍鏡体の変倍ハンドルを検鏡者に近い側に配置した状態で検鏡者から見て右側の変倍ハンドルとその周辺部分を拡大して示している。図９は、本発明の第三実施形態の実体顕微鏡において、図４と同様に変倍鏡体の変倍ハンドルを検鏡者に遠い側に配置した状態で検鏡者から見て左側の変倍ハンドルとその周辺部分を拡大して示している。また、図１０は、図８と図９に示された変倍ハンドルを回転軸方向から見た図である。
【００４４】
本実施形態においては、図８と図９に示されるように、変倍鏡体４の本体は、変倍ハンドル１０１の根元近くを覆っている円筒部１２０を有しており、円筒部１２０は、二つの開口部１２１と開口部１２２を有している。開口部１２１と開口部１２２は、図１０から分かるように、変倍ハンドル１０１の回転軸を含む鉛直面に対して反対の側に位置している。また、開口部１２１と開口部１２２は、その鉛直面に対して対称的に位置している。
【００４５】
図１１は、図８と図９に示された変倍ハンドルだけの側面図である。図１１に示されるように、変倍ハンドル１０１は、変倍光学系の倍率を示す倍率表示１２３を有している。変倍ハンドル１０１の倍率表示１２３は、変倍ハンドル１０１の根元近くに付されており、図８と図９に示されるように、円筒部１２０の内側に位置する。このため、倍率表示１２３は、開口部１２１と開口部１２２を介して露出している部分を除いて、円筒部１２０の内側に隠れている。
【００４６】
開口部１２１と開口部１２２は、それぞれ、倍率表示１２３に羅列されている数字の一つを露出させるに適した大きさを有している。また、開口部１２１と開口部１２２は、図１０に示されるように、角θの角度的間隔を置いて位置している。
【００４７】
図１２は、図１１に示される倍率表示を展開して示している。図中、開口部１２１と開口部１２２の位置が破線で示されている。図１２に示されるように、倍率表示１２３は、変倍光学系の倍率を示す数字の羅列を有している。数字の上下は変倍ハンドル１０１の回転軸に直交し、数字は変倍ハンドル１０１の周面に沿って並んでいる。
【００４８】
加えて、数字の羅列は、複数の数字を二つずつ含んでおり、同じ二つの数字は、上下が逆で、角θの角度的間隔を置いて位置している。さらに、これらの数字は、一方の開口部１２１に二つの同じ数字の一方が上下正しい向きで露出された際に、他方の開口部１２２に他方の数字も上下正しい向きで露出されるように配列されている。
【００４９】
勿論、変倍ハンドル１０１は、上下正しい向きで開口部から露出された倍率表示１２３の数字が、変倍鏡体４内の変倍光学系の現在の倍率と合うように、回転軸周りの角度が調整されている。
【００５０】
このため、被験者は、変倍鏡体４の変倍ハンドル１０１が、対物レンズ５の光軸を基準にして、検鏡者の側に位置している場合には、右側に位置する変倍ハンドル１０１に付された倍率表示１２３を、変倍鏡体４の本体の円筒部１２０に形成された開口部１２１を通して見ることができる。また、変倍鏡体４の変倍ハンドル１０１が、対物レンズ５の光軸を基準にして、検鏡者の反対側に位置している場合には、左側に位置する変倍ハンドル１０１に付された倍率表示１２３を、変倍鏡体４の本体の円筒部１２０に形成された開口部１２２を通して見ることができる。
【００５１】
すなわち、変倍鏡体４の変倍ハンドル１０１が、対物レンズ５の光軸を基準にして、検鏡者の側に位置している場合であっても、検鏡者の反対側に位置している場合であっても、検鏡者は、手前側の開口部を通して見える変倍ハンドル１０１に付された倍率表示１２３に基づいて、変倍鏡体４内の変倍光学系の倍率を容易に認識することが可能になる。
【００５２】
特に本実施形態においては、変倍鏡体４内の変倍光学系の倍率を示す数字以外の数字は、変倍鏡体４の本体の円筒部１２０に隠れているため、一瞬の見間違いも起きる心配がない。
【００５３】
これまで、図面を参照しながら本発明の実施の形態を述べたが、本発明は、これらの実施の形態に限定されるものではなく、その要旨を逸脱しない範囲において様々な変形や変更が施されてもよい。
【００５４】
【発明の効果】
本発明によれば、変倍鏡体の向きを変えて変倍ハンドルの位置を前後で入れ替えた場合にも倍率表示を認識可能な実体顕微鏡が提供される。これにより、より広範な様々な状況下において、良好な使用が可能になる。
【図面の簡単な説明】
【図１】本発明の第一実施形態の実体顕微鏡を示している。
【図２】そのように位置する検鏡者から見て右側の変倍ハンドルとその周辺部分を拡大して示している。
【図３】図２に示される倍率表示を展開して示している。
【図４】図１に示される実体顕微鏡において、変倍鏡体が光軸周りに１８０度回転された状態を示している。
【図５】図４に示される実体顕微鏡において、検鏡者から見て右側の変倍ハンドルとその周辺部分を拡大して示している。
【図６】図５に示される倍率表示を展開して示している。
【図７】本発明の第二実施形態の実体顕微鏡における変倍ハンドルの倍率表示を展開して示している。
【図８】本発明の第三実施形態の実体顕微鏡において、図１と同様に変倍鏡体の変倍ハンドルを検鏡者に近い側に配置した状態で検鏡者から見て右側の変倍ハンドルとその周辺部分を拡大して示している。
【図９】本発明の第三実施形態の実体顕微鏡において、図４と同様に変倍鏡体の変倍ハンドルを検鏡者に遠い側に配置した状態で検鏡者から見て左側の変倍ハンドルとその周辺部分を拡大して示している。
【図１０】図８と図９に示された変倍ハンドルを回転軸方向から見た図である。
【図１１】図８と図９に示された変倍ハンドルだけの側面図である。
【図１２】図１１に示される倍率表示を展開して示している。
【図１３】一般的な実体顕微鏡の構成を示す斜視図である。
【図１４】図１３に示される実体顕微鏡において、変倍鏡筒が光軸周りに１８０度回転された状態を示している。
【符号の説明】
４…変倍鏡体、５…対物レンズ、６…観察用鏡筒、７…接眼レンズ、１０１…変倍ハンドル、１０２…変倍ハンドル、１０３…倍率表示、１０４…倍率表示、１０５…指標、１０６…指標、１１１…指標、１１２…倍率表示、１２１…開口部、１２２…開口部、１２３…倍率表示。
【図１】
2004348090.tif 000003
【図２】
2004348090.tif 000004
【図３】
2004348090.tif 000005
【図４】
2004348090.tif 000006
【図５】
2004348090.tif 000007
【図６】
2004348090.tif 000008
【図７】
2004348090.tif 000009
【図８】
2004348090.tif 000010
【図９】
2004348090.tif 000011
【図１０】
2004348090.tif 000012
【図１１】
2004348090.tif 000013
【図１２】
2004348090.tif 000014
【図１３】
2004348090.tif 000015
【図１４】
2004348090.tif 000016